(57)【要約】【課　題】建物外壁の目地に耐火材と併用して装着されるシール用のシーリング材の受けである、シーリングバックアップ材において、目地施工の作業性を向上させる。【解決手段】シーリングバックアップ材１は、開口部１ａを窄めて断面逆グラス状をなした樹脂又はゴムよりなる押出成形品で、押出成形後の製造工程で、シリコーンスポンジゴムよりなる耐火材２がシーリングバックアップ材１に開口部１ａより押し込んで装着される。目地構造の施工は、耐火材２を組み込んだシーリングバックアップ材１を目地１４に押し込んで挿入したのち、シーリング材１１を充填して行う。【選択図】　図２
2004131978.tif 000002
【特許請求の範囲】
【請求項１】
建物外壁の目地１４に耐火材２、４、９と併用して装着されるシール用のシーリング材１１の受けである、シーリングバックアップ材１、７であって、樹脂又はゴム等の成形品よりなり、耐火材２、４、９を連結ないし組み込んでなる目地用のシーリングバックアップ材。
【請求項２】
シーリングバックアップ材１、７が開口部１ａを窄めた断面逆グラス状をなし、耐火材２、４、９を開口部より押し込んでシーリングバックアップ材１、７内に装着してなる請求項１記載の目地用のシーリングバックアップ材。
【請求項３】
シーリングバックアップ材１、７は所要部が剛性を有する請求項１又は２記載の目地用のシーリングバックアップ材。
【請求項４】
目地１４への挿入時に目地１４を構成する建物外壁の外壁材１３端面に弾接する軟質の材料よりなるリップ部５をシーリングバックアップ材１、７の両側より外側方に突設してなる請求項３記載の目地用のシーリングバックアップ材。
【発明の詳細な説明】
【０００１】
【発明が属する技術分野】
本発明は、建物外壁の目地に耐火材と併用して装着されるシール用のシーリング材の受けである、シーリングバックアップ材に関する。
【０００２】
【従来技術】
建物外壁の目地にシールを目的として装着されるシーリング材は一般に、シーリングバックアップ材を挿入したのち充填される。こうしたシーリング材やシーリングバックアップ材は通常、樹脂やゴムなどの成形品よりなっているが、こうした成形品は、可燃性で耐火性がないため、耐火性を必要とする箇所に取付けるときには、シリコーンスポンジ、グラスウール、ロックウール等の耐火材が併用される。
【０００３】
図６は、シーリング材１１にシリコーンスポンジよりなる耐火材１２を併用した従来例を示すもので、その施工は、外壁材１３、１３間の目地１４に耐火材１２を挿入し、ついでポリエチレン製のバックアップ材１５を挿入したのちシーリング材１１を充填することにより行われる。
【０００４】
図７は、耐火材にグラスウールやロックウールよりなる耐火材１６を用いた例、図８は、バックアップ材を樹脂やゴム等の成形品よりなるガスケット１７とした例、図９は耐火材にグラスウールやロックウールよりなる耐火材１６を用いると共に、バックアップ材を樹脂やゴムなどの成形品よりなるガスケット１７とした例を示すものである。
【０００５】
【発明が解決しようとする課題】
シーリング材に耐火材を併用するときには、上述するように、先ず耐火材を挿入したのちバックアップ材を挿入するが、耐火材のシリコーンスポンジ、グラスウール、ロックウール、バックアップ材の樹脂やゴムは、共に材質的に概して柔らかく腰がないため目地への挿入にはいずれも手間がかゝり、作業性が悪い。
【０００６】
本発明は、シーリング材の受けである、シーリングバックアップ材に改良を加えることによってシーリング材に耐火材を併用したときの上記の問題を軽減しようとするものである。
【０００７】
【課題の解決手段】
請求項１に係わる発明は、建物外壁の目地に耐火材と併用して装着されるシール用のシーリング材の受けである、シーリングバックアップ材であって、樹脂又はゴム等の成形品よりなり、耐火材を連結ないし組み込んでなるものである。
【０００８】
本発明によると、耐火材がシーリングバックアップ材に連結ないし組み込んであるため、耐火材とシーリングバックアップ材を目地へ挿入する作業が一度ですみ、挿入作業が半減される。
耐火材とシーリングバックアップ材との連結或いは組み込みは、施工現場で行うこともできるが、施工現場での作業性を向上させるため、好ましくは工場で行われる。
【０００９】
請求項２に係わる発明は、請求項１に係わる発明において、シーリングバックアップ材が下端の開口部に向かって窄まる断面逆グラス状をなし、耐火材を開口部より押し込んでシーリングバックアップ材内に装着してなるものである。
【００１０】
本発明によると、目地へ開口部を下向きにして挿入するとき、シーリングバックアップ材は、窄まった下部をガイドとして目地へ挿入されるようになるため、目地への挿入が容易となり、目地で支えにくゝなるうえ、耐火材はシーリングバクアップ材内に装着され、シーリングバックアップ材で包み込まれるため耐火材が目地を形成する外壁材端面との摩擦抵抗により目地で支えることがない。
【００１１】
請求項３に係わる発明は、請求項１又は２に係わる発明において、シーリングバックアップ材は所要部が例えばショアＤ硬さで３０〜６０度の剛性を有することを特徴とする。
本発明によると、シーリングバックアップ材の所要部、例えば耐火材を包込む側壁部が剛性を有することにより目地への挿入が一層容易となる。
【００１２】
請求項４に係わる発明は、請求項３に係わる発明において、目地への挿入時に目地を構成する建物外壁の外壁材端面に弾接する軟質の材料よりなるリップ部をシーリングバックアップ材の両側より外側方に突設したことを特徴とする。
本発明によると、リップ部を設けたことにより目地のシール性と目地への保持力が向上する。とくにリップ部を軟質の材料で形成すると、挿入時に変形し易く挿入が容易となる。
【００１３】
なお、シーリング材は一般に外壁材端面とのシール性を保つため外壁材端面に接着されるが、シーリングバックアップ材とは接着されない。シーリングバックアップ材と接着されると、熱的影響により外壁材が伸縮して目地幅が拡縮したときシーリング材が外壁材端面より剥離しがちとなり、シール性を保つことができなくなるからである。そのためシーリングバックアップ材の材質は、両者の接着を生じないようなもの、例えばポリプロピレンＰＰ、ポリエチレンＰＥ、熱可塑性オレフィンＴＰＯ、エチレン・プロピレン・ジエン三元共重合体ＥＰＤＭ等とするのが望ましい。
【００１４】
【発明の実施の形態】
図１に示すシーリングバックアップ材１は、上部のシーリング材１１の受け部１ｂが軟質のゴム又は熱可塑性オレフィンＴＰＯ等の樹脂よりなると共に、それ以外がショアＤ硬度が３０〜６０度の剛性を有する硬質のゴム又は熱可塑性オレフィンＴＰＯ等の樹脂よりなり、対向する側壁部を略く字形に形成して下部を窄め、下端に開口部１ａを備えた、全体が断面逆グラス状をなす押出成形品である。
耐火材２は、断面楕円形でシリコーンスポンジよりなり、押出成形後の製造工程でシーリングバックアップ材１に開口部１ａより押し込んで装着されるようになっている。
【００１５】
図２は、目地への取付状態を示す。なお、図中、図６〜図９と同一構造のものは同一符号で示してある。
図２に示す目地構造の施工は、図１に示す耐火材２を組み込んだシーリングバックアップ材１を目地１４に押し込んで挿入したのち、シーリング材１１を充填することにより行われる。
【００１６】
図３は、シーリングバックアップ材１に挿入される耐火材４の材質をグラスウールやロックウール等とし、断面矩形状にしたものである。
図４は、図１に示すシーリングバックアップ材１において、開口部１ａにデュロＡ硬さが５０〜８０度の軟質のゴム又は樹脂よりなるリップ部５を外向きに突設し、目地１４へ挿入したとき外装材１３、１３の端面に弾接して目地１４のシール性と目地１４への保持力を高めている。
【００１７】
図５に示すシーリングバックアップ材７は、上部に上記受け部１ａと同様の受け部７ａを有すると共に、下端の開口部に内向きをなす爪８を突設したクリップ状をなしている。耐火材９は、係合部９ａを上向きに突設した断面略逆ハート形をなし、係合部９ａをシーリングバックアップ材７に押し込んでくびれた首部９ｂに爪８を係止させることにより、シーリングバックアップ材７に連結されている。
【００１８】
【発明の効果】
請求項１に係わる発明のシーリングバックアップ材によると、耐火材を併用した場合の耐火材とシーリングバックアップ材の目地への挿入作業が一度ですむため、目地施工の作業性が向上する。
【００１９】
請求項２に係わる発明のシーリングバックアップ材によると、耐火材がシーリングバクアップ材に包み込まれ、外壁材端面と接触することなく挿入され、しかもシーリングバックアップ材は先が窄まった形態をなすため、目地への挿入作業が容易に行える。
【００２０】
請求項３に関わる発明のシーリングバックアップ材によると、所要部が剛性を有するため、目地への挿入時に支えにくゝ、目地への挿入がより一層容易に行える。
請求項４に関わる発明のシーリングバックアップ材によると、目地のシール性が向上すると共に、目地への保持力を増すことができる。
【図面の簡単な説明】
【図１】耐火材を組み込んだシーリングバックアップ材の断面図。
【図２】図１に示すシーリングバックアップ材を用いて施工した目地構造の断面図。
【図３】別の態様の耐火材を組み込んだシーリングバックアップ材の断面図。
【図４】耐火材を組み込んだシーリングバックアップ材の別の態様の断面図。
【図５】耐火材を連結したシーリングバックアップ材の断面図。
【図６】従来の目地構造を示す断面図。
【図７】従来の目地構造の別の例を示す断面図。
【図８】従来の目地構造の更に別の例を示す断面図。
【図９】従来の目地構造の他の例を示す断面図。
【符号の説明】
１、７、１５、１７・・バックアップ材
２、４、９、１２、１６・・耐火材
５・・リップ部
８・・爪
１１・・シーリング材
１３・・外装材
１４・・目地
【図１】
2004131978.tif 000003
【図２】
2004131978.tif 000004
【図３】
2004131978.tif 000005
【図４】
2004131978.tif 000006
【図５】
2004131978.tif 000007
【図６】
2004131978.tif 000008
【図７】
2004131978.tif 000009
【図８】
2004131978.tif 000010
【図９】
2004131978.tif 000011